(57)【特許請求の範囲】
【請求項１】
建物の内部が床部で床上空間と床下空間とに仕切られ、前記建物に設置された空調装置から前記床上空間への空調空気を吹き出す床上空調と、前記空調装置から前記床下空間へ空調空気を吹き出す床下空調とが可能な空調システムの制御装置であって、
前記空調装置は、少なくとも暖房運転が可能であり、
制御部は、
前記床上空間内に設けた人感センサーで人が在であるか不在であるかを検知した結果により、前記床上空調の運転条件を制御するとともに、
前記制御部により、前記床下空調は、記憶部に記憶された運転タイムスケジュールデータに基づいて、運転条件を制御し、
暖房時において、安価な電気料金の深夜電力時間帯には、他の時間帯よりも高い下限温度で、前記床下空調の運転を行うことを特徴とする空調システムの制御装置。
【請求項２】
前記人感センサーによる検知結果で、人が不在である状況が所定時間以上継続した場合に、運転条件を経済性優先モードとすることを特徴とする請求項１に記載の空調システムの制御装置。
【請求項３】
暖房時における前記経済性優先モードの下限温度は、１５〜２０℃であることを特徴とする請求項２に記載の空調システムの制御装置。
【請求項４】
冷房時における前記経済性優先モードの上限温度は、２８〜３１℃であることを特徴とする請求項２又は３に記載の空調システムの制御装置。
【請求項５】
前記人感センサーによる検知結果で、人が在である状況が所定時間以上継続した場合に、運転条件を快適性優先モードとすることを特徴とする請求項１又は２に記載の空調システムの制御装置。
【請求項６】
暖房時における前記快適性優先モードの下限温度は、２０〜２５℃であることを特徴とする請求項５に記載の空調システムの制御装置。
【請求項７】
冷房時における前記快適性優先モードの上限温度は、２５〜２８℃であることを特徴とする請求項５又は６に記載の空調システムの制御装置。
【請求項８】
前記制御部により、所定時間帯において、前記床上空調も、前記記憶部に記憶された運転タイムスケジュールデータに基づいて、運転条件を制御することを特徴とする請求項１乃至７のいずれか１項に記載の空調システムの制御装置。
【請求項９】
前記制御部による前記床上空調及び前記床下空調の制御は、標準仕様設定による制御であり、コントローラによる該標準仕様設定のオン・オフ、調整、又は変更が可能であることを特徴とする請求項１乃至８のいずれか１項に記載の空調システムの制御装置。
【請求項１０】
前記建物の前記床上空間内及び前記床下空間内には、前記制御部にこれら空間内の温度データを送る温度センサーがそれぞれ設けられており、これらの温度データに基づいて、前記制御部により、前記床上空調及び前記床下空調の制御がなされることを特徴とする請求項１乃至９のいずれか１項に記載の空調システムの制御装置。
【請求項１１】
前記記憶部は学習機能を有することを特徴とする請求項１乃至１０のいずれか１項に記載の空調システムの制御装置。
【請求項１２】
請求項１乃至１１のいずれか１項に記載の空調システムの制御装置を備えていることを特徴とする空調システム。
【請求項１３】
前記空調装置は、前記床下空間に設置されていることを特徴とする請求項１２に記載の空調システム。
【請求項１４】
請求項１２又は１３に記載の空調システムを備えていることを特徴とする建物。
【発明の詳細な説明】
【技術分野】
【０００１】
本発明は、床下空調及び床上空調が可能な空調システムの制御装置、この制御装置を備えた空調システム、及びこの空調システムを備えた建物に関するものである。
【背景技術】
【０００２】
従来から、建物内の空調システムを、人感センサー等を用いて自動で効率的に制御する制御装置について多数提案されている（例えば特許文献１等を参照）。
【０００３】
また、特許文献２には、建物の床下空間に空調装置が設置され、空調装置から床上空間への空調空気を吹き出す床上空調と、空調装置から床下空間へ空調空気を吹き出す床下空調とが可能であり、床上空間の快適な空調を行うことができる空調システムが開示されている。
【先行技術文献】
【特許文献】
【０００４】
【特許文献１】特開２０１３−３６６７８号公報
【特許文献２】特許第４５９５０２１号公報
【発明の概要】
【発明が解決しようとする課題】
【０００５】
しかしながら、上記した特許文献２のような床下空調及び床上空調が可能な空調システムでは、未だに、居住者等が手動でコントローラを操作して快適な状態に設定するか、予め記憶されたタイムスケジュールデータに基づいて制御することしかなされていなかった。
【０００６】
そこで、本発明は、床下空調及び床上空調が可能な空調システムを、自動で効率的に制御することができる、空調システムの制御装置、この制御装置を備えた空調システム、及びこの空調システムを備えた建物を提供することを目的としている。
【課題を解決するための手段】
【０００７】
前記目的を達成するために、本発明の空調システムの制御装置は、建物の内部が床部で床上空間と床下空間とに仕切られ、前記建物に設置された空調装置から前記床上空間への空調空気を吹き出す床上空調と、前記空調装置から前記床下空間へ空調空気を吹き出す床下空調とが可能な空調システムの制御装置であって、制御部は、前記床上空間内に設けた人感センサーで人が在であるか不在であるかを検知した結果により、前記床上空調の運転条件を制御することを特徴とする。
【０００８】
ここで、前記人感センサーによる検知結果で、人が不在である状況が所定時間以上継続した場合に、運転条件を経済性優先モードとするとよい。
【０００９】
また、暖房時における前記経済性優先モードの下限温度は、１５〜２０℃であるとよい。
【００１０】
さらに、冷房時における前記経済性優先モードの上限温度は、２８〜３１℃であるとよい。
【００１１】
また、前記人感センサーによる検知結果で、人が在である状況が所定時間以上継続した場合に、運転条件を快適性優先モードとするとよい。
【００１２】
さらに、暖房時における前記快適性優先モードの下限温度は、２０〜２５℃であるとよい。
【００１３】
また、冷房時における前記快適性優先モードの上限温度は、２５〜２８℃であるとよい。
【００１４】
ここで、上限温度とは、そのモードでは、その温度以下になるように制御する、という温度であり、下限温度とは、そのモードでは、その温度以上になるように制御する、という温度である。
【００１５】
なお、暖房時における経済性優先モードの下限温度と快適性優先モードの下限温度との関係、及び冷房時における経済性優先モードの上限温度と快適性優先モードの上限温度との関係は、同じ時間における相対関係で、暖房時における経済性優先モードの下限温度は、快適性優先モードの下限温度より低く、冷房時における経済性優先モードの上限温度は、快適性優先モードの上限温度より高い。
【００１６】
すなわち、異なる時間で比較して、暖房時における経済性優先モードの下限温度が、快適性優先モードの下限温度より高く、冷房時における経済性優先モードの上限温度が、快適性優先モードの上限温度より低いものも含まれる。
【００１７】
さらに、前記制御部により、前記床下空調は、記憶部に記憶された運転タイムスケジュールデータに基づいて、運転条件を制御するとよい。
【００１８】
また、前記制御部により、所定時間帯において、前記床上空調も、前記記憶部に記憶された運転タイムスケジュールデータに基づいて、運転条件を制御するとよい。
【００１９】
さらに、前記制御部による前記床上空調及び前記床下空調の制御は、標準仕様設定による制御であり、コントローラによる該標準仕様設定のオン・オフ、調整、又は変更が可能であるとよい。
【００２０】
また、前記建物の前記床上空間内及び前記床下空間内には、前記制御部にこれら空間内の温度データを送る温度センサーがそれぞれ設けられており、これらの温度データに基づいて、前記制御部により、前記床上空調及び前記床下空調の制御がなされるとよい。
【００２１】
さらに、前記記憶部は学習機能を有するとよい。
【００２２】
本発明の空調システムは、上記した本発明の空調システムの制御装置を備えていることを特徴とする。
【００２３】
ここで、前記空調装置は、前記床下空間に設置されているとよい。
【００２４】
本発明の建物は、上記した本発明の空調システムを備えていることを特徴とする。
【発明の効果】
【００２５】
このような本発明の空調システムの制御装置は、建物の内部が床部で床上空間と床下空間とに仕切られ、建物に設置された空調装置から床上空間への空調空気を吹き出す床上空調と、空調装置から床下空間へ空調空気を吹き出す床下空調とが可能な空調システムの制御装置である。
【００２６】
そして、制御部は、床上空間内に設けた人感センサーで人が在であるか不在であるかを検知した結果により、床上空調の運転条件を制御する構成とされている。
【００２７】
上記した構成なので、床上空調では、床上空間内の人の在・不在を区別して、無駄のない運転が行われるため、床下空調及び床上空調が可能な空調システムを、自動で効率的に制御することができる。
【００２８】
ここで、人感センサーによる検知結果で、人が不在である状況が所定時間以上継続した場合に、運転条件を経済性優先モードとする場合は、床上空間内に人が長い間居ない状態なのに無駄な空調を行うことを極力少なくすることができる。
【００２９】
また、暖房時における経済性優先モードの下限温度は、１５〜２０℃である場合は、暖房時の温度環境として、経済性優先モードでも、多くの人が不快でないと感じる環境を確保することができる。
【００３０】
さらに、冷房時における経済性優先モードの上限温度は、２８〜３１℃である場合は、冷房時の温度環境として、経済性優先モードでも、多くの人が不快でないと感じる環境を確保することができる。
【００３１】
また、人感センサーによる検知結果で、人が在である状況が所定時間以上継続した場合に、運転条件を快適性優先モードとする場合は、床上空間内に人が居る状態では極力快適な空調を行うことができる。
【００３２】
さらに、暖房時における快適性優先モードの下限温度は、２０〜２５℃である場合は、暖房時の温度環境として、快適性優先モードでは、多くの人が快適であると感じる環境を確保することができる。
【００３３】
また、冷房時における快適性優先モードの上限温度は、２５〜２８℃である場合は、冷房時の温度環境として、快適性優先モードでは、多くの人が快適であると感じる環境を確保することができる。
【００３４】
さらに、制御部により、床下空調は、記憶部に記憶された運転タイムスケジュールデータに基づいて、運転条件を制御する場合は、特に、暖房運転をする際には、床下空調による暖房は、床上空間が略均一にムラなく暖まるが、床上空調による暖房に比べれば即効性に欠き、床上空調による暖房は、床上空間が即座に暖まるが、床下空調による暖房に比べれば床上空間を均一に暖めることができないので、床下空調による暖房と床上空調による暖房との長所を活かし、短所を補い合う効率的な制御を行うことができる。
【００３５】
また、制御部により、所定時間帯において、床上空調も、記憶部に記憶された運転タイムスケジュールデータに基づいて、運転条件を制御する場合は、特に電気料金が安価な深夜時間帯にこの制御を行えば、経済的であり、そのうえ、睡眠中及びその前後の快適性を増すことができ、特に暖房運転の際には、室間の温度差によるヒートショックの予防にもなる。
【００３６】
さらに、制御部による床上空調及び床下空調の制御は、標準仕様設定による制御であり、コントローラによる標準仕様設定のオン・オフ、調整、又は変更が可能である場合は、建物の居住者等の意思を、標準仕様設定による制御に容易に割り込ませることができる。
【００３７】
また、建物の床上空間内及び床下空間内には、制御部にこれら空間内の温度データを送る温度センサーがそれぞれ設けられており、これらの温度データに基づいて、制御部により、床上空調及び床下空調の制御がなされる場合は、温度データを基準とした制御となるので、簡易な構成で、効率的な制御を行うことができる。
【００３８】
さらに、記憶部は学習機能を有する場合は、標準仕様設定による制御に、居住者等の好みや行動パターン等による時系列的に好適な温度環境を反映させることができる。
【００３９】
このような本発明の空調システムは、上記した本発明の空調システムの制御装置を備えた構成とされている。
【００４０】
上記した構成なので、上記した本発明の空調システムの制御装置の効果を奏する空調システムとすることができる。
【００４１】
ここで、空調装置は、床下空間に設置されている場合は、年を通して安定した温度環境であり、通常はデッドスペースである床下空間を有効利用することができる。
【００４２】
このような本発明の建物は、上記した本発明の空調システムを備えた構成とされている。
【００４３】
上記した構成なので、上記した本発明の空調システムの効果を奏する建物とすることができる。
【図面の簡単な説明】
【００４４】
【図１】実施例の空調システムを備えた建物の概略構成を示す説明図である。
【図２】実施例の空調システムの制御装置の概略構成を示すブロック図である。
【図３】実施例の空調システムの制御装置による標準仕様設定の具体例を示すタイムテーブルである。
【発明を実施するための形態】
【００４５】
以下、本発明を実施するための形態を、図面に示す実施例に基づいて説明する。
【実施例】
【００４６】
先ず、実施例の構成について説明する。
【００４７】
図１は、実施例の空調システムを備えた建物１の概略構成を示している。
【００４８】
この建物１は、断熱基礎として構築された基礎底盤コンクリート１ｂと、その側縁に立設された基礎側壁コンクリート１ｃと、さらにその上に立設された外壁部１ｄと、その外壁部１ｄの上端開口を塞ぐ天井部１ｅとから主に構成されている。
【００４９】
そして、この天井部１ｅと外壁部１ｄとに囲まれる空間は、床部１ａによって床下空間３と居室などに用いられる床上空間６とが区切られた構成となっている。
【００５０】
また、基礎側壁コンクリート１ｃの床下空間３側には、グラスウールなどの断熱材２が取り付けられており、床下空間３内の熱が屋外に極力漏れない断熱構造となっている。
【００５１】
そして、床下空間３内には、吹出型の空調装置としてのエアコンディショナーの屋内機５が設置されている。
【００５２】
ここで、このエアコンディショナーの屋内機５は、ヒートポンプ式であり、熱媒循環管路により、建物１の屋外に設置された屋外機４と接続されている。
【００５３】
また、このエアコンディショナーの屋内機５は、除湿機能を有し、床下空間３から屋外へ貫通する排水用のドレイン７が設けられている。
【００５４】
さらに、このエアコンディショナーの屋内機５は、吸込部５１と、床上用吹出部５２，５２と、床下用吹出部５３とを有している。
【００５５】
また、このエアコンディショナーの屋内機５には、床上用吹出部５２，５２及び床下用吹出部５３から空気を様々な強さで吹き出させることが可能なファン（図示せず）と、制御部５４と、記憶部５５とが内蔵されている。
【００５６】
さらに、床上用吹出部５２，５２と床下用吹出部５３とには、電動ダンパーなどから成る開閉弁５２ａ，５３ａがそれぞれ設けられている。
【００５７】
また、このエアコンディショナーの屋内機５には、制御部５４に床下空間３の温度データを有線又は無線で送る温度センサー５ａが取り付けられている。
【００５８】
さらに、床部１ａには、グリル付きの、排気口９と、２種類の給気口１０，１０，１１とが設けられている。
【００５９】
ここで、給気口１０，１０は、ダクト８２により、エアコンディショナーの屋内機５の床上用吹出部５２とそれぞれ接続されており、別の給気口１１は、ダクトを介さず、床下空間３と直接連通している。
【００６０】
また、エアコンディショナーの屋内機５の吸込部５１と排気口９との間もダクト８１で接続されている。
【００６１】
さらに、床上空間６内には、人感センサー１２が設けられ、この人感センサー１２は、制御部５４と有線又は無線で接続されている。
【００６２】
また、床上空間６内には、コントローラとしてのリモートコントローラ１３も設けられている。
【００６３】
さらに、このリモートコントローラ１３には、制御部５４に床上空間６の温度データを有線又は無線で送る温度センサー１３ａが内蔵されている。
【００６４】
次に、実施例の空調システムの制御装置Ｓについて説明する。
【００６５】
図２は、実施例の空調システムの制御装置Ｓの概略構成を示している。
【００６６】
この実施例の空調システムの制御装置Ｓは、吹出型の空調装置としてのエアコンディショナーの屋内機５に内蔵された制御部５４及び記憶部５５と、人感センサー１２と、温度センサー１３ａが内蔵されたコントローラとしてのリモートコントローラ１３とから主に構成される。
【００６７】
そして、記憶部５５には、標準仕様設定である自動制御設定及びこの自動制御設定時における制御パターンが記憶されている。
【００６８】
ここで、この自動制御設定時においては、基本的に、人感センサー１２で人が在であると検知し、その状態が所定時間継続すると、その検知結果を検知信号として制御部５４に送り、制御部５４により、エアコンディショナーの屋内機５の床上用吹出部５２，５２から空調空気（暖気又は冷気）を吹き出す制御がなされ、給気口１０，１０から床上空間６に空調空気が吹き出されて、床上空調が行われる。
【００６９】
この制御は、温度センサー１３ａで検知される床上空間６内の温度データに基づいてなされ、モード毎に予め設定された下限（又は上限）温度との開きを計算に入れ、運転のオン・オフ及び強弱の制御がなされる。
【００７０】
また、この自動制御設定時においては、制御パターンとして記憶部５５に記憶された運転タイムスケジュールデータに基づいて、制御部５４により、エアコンディショナーの屋内機５の床下用吹出部５３から空調空気（暖気又は除湿空気）を吹き出す制御がなされ、床下空間３に空調空気が吹き出されて、床下空調が行われる。
【００７１】
この制御は、温度センサー５ａで検知される床下空間３内の温度データに基づいてなされ、モード毎に予め設定された下限（又は上限）温度との開きを計算に入れ、運転のオン・オフ及び強弱の制御がなされる。
【００７２】
ここで、床下空間３に吹き出された空調空気の一部は、給気口１１から床上空間６に吹き出される。
【００７３】
なお、リモートコントローラ１３によって、この標準仕様設定のオン・オフ、調整、及び変更が可能であり、特に、調整や変更があった場合には、記憶部５５が記憶し、記憶部５５は、その頻度が高い場合は、標準仕様設定に反映させる学習機能を有している。
【００７４】
次に、実施例の空調システムの制御装置Ｓによる制御についてより具体的に説明する。
【００７５】
図３は、実施例の空調システムの制御装置Ｓによる冬場の暖房を想定した標準仕様設定の具体例（１日分）を示すタイムテーブルである。なお、このタイムテーブル中の数字は、暖房の下限温度を示している。
【００７６】
先ず、床上空調は、６時から２３時までは、人感センサー１２で人が在であるか不在であるかを検知し、この検知結果を反映させた制御がなされる。
【００７７】
ここで、人感センサー１２により、人が在であると検知され、その状態が所定時間（例えば１分）継続すると、快適性優先モードが選択され、床上空間６内の下限温度を２２℃とする運転が行われる。
【００７８】
すなわち、２２℃以上を保つために、温度センサー１３ａが２２℃以上の温度を検知すれば、運転をオフとし、２２℃未満であれば、運転をオンとする。
【００７９】
なお、運転をオンとする場合には、２２℃より若干下回っているだけのときは弱運転とし、大きく下回っているときは強運転とする。
【００８０】
また、人感センサー１２により、人が不在であると検知され、その状態が所定時間（例えば１０分）継続すると、経済性優先モードが選択され、床上空間６内の下限温度を１７℃とする運転が行われる。
【００８１】
すなわち、１７℃以上を保つために、温度センサー１３ａが１７℃以上の温度を検知すれば、運転をオフとし、１７℃未満であれば、運転をオンとする。
【００８２】
なお、運転をオンとする場合には、１７℃より若干下回っているだけのときは弱運転とし、大きく下回っているときは強運転とする。
【００８３】
さらに、床上空調は、２３時から翌６時までは、記憶部５５に記憶された運転タイムスケジュールデータに基づいて制御がなされ、床上空間６内の下限温度を１７℃とする運転が行われる。
【００８４】
すなわち、１７℃以上を保つために、温度センサー１３ａが１７℃以上の温度を検知すれば、運転をオフとし、１７℃未満であれば、運転をオンとする。
【００８５】
一方、床下空調は、一日中、基本的には、記憶部５５に記憶された運転タイムスケジュールデータに基づいて制御がなされる。
【００８６】
先ず、６時から１０時までは、床下空間３内の下限温度を２５℃とする運転（快適性優先モードによる運転）が行われる。
【００８７】
すなわち、２５℃以上を保つために、温度センサー５ａが２５℃以上の温度を検知すれば、運転をオフとし、２５℃未満であれば、運転をオンとする。
【００８８】
なお、運転をオンとする場合には、２５℃より若干下回っているだけのときは弱運転とし、大きく下回っているときは強運転とする。
【００８９】
また、１０時から１２時までは、床下空間３内の下限温度を２０℃とする運転（経済性優先モードによる運転）が行われる。
【００９０】
すなわち、２０℃以上を保つために、温度センサー５ａが２０℃以上の温度を検知すれば、運転をオフとし、２０℃未満であれば、運転をオンとする。
【００９１】
なお、運転をオンとする場合には、２０℃より若干下回っているだけのときは弱運転とし、大きく下回っているときは強運転とする。
【００９２】
さらに、１２時から１４時までは、６時から１０時までと同様、床下空間３内の下限温度を２５℃とする運転（快適性優先モードによる運転）が行われる。
【００９３】
すなわち、２５℃以上を保つために、温度センサー５ａが２５℃以上の温度を検知すれば、運転をオフとし、２５℃未満であれば、運転をオンとする。
【００９４】
なお、運転をオンとする場合には、２５℃より若干下回っているだけのときは弱運転とし、大きく下回っているときは強運転とする。
【００９５】
また、１４時から１７時までは、１０時から１２時までと同様、床下空間３内の下限温度を２０℃とする運転（経済性優先モードによる運転）が行われる。
【００９６】
すなわち、２０℃以上を保つために、温度センサー５ａが２０℃以上の温度を検知すれば、運転をオフとし、２０℃未満であれば、運転をオンとする。
【００９７】
なお、運転をオンとする場合には、２０℃より若干下回っているだけのときは弱運転とし、大きく下回っているときは強運転とする。
【００９８】
さらに、１７時から２３時までは、１２時から１４時まで及び６時から１０時までと同様、床下空間３内の下限温度を２５℃とする運転（快適性優先モードによる運転）が行われる。
【００９９】
すなわち、２５℃以上を保つために、温度センサー５ａが２５℃以上の温度を検知すれば、運転をオフとし、２５℃未満であれば、運転をオンとする。
【０１００】
なお、運転をオンとする場合には、２５℃より若干下回っているだけのときは弱運転とし、大きく下回っているときは強運転とする。
【０１０１】
また、２３時から翌６時までは、床下空間３内の下限温度を２８℃とする運転（快適性優先モードによる運転）が行われる。
【０１０２】
すなわち、２８℃以上を保つために、温度センサー５ａが２８℃以上の温度を検知すれば、運転をオフとし、２８℃未満であれば、運転をオンとする。
【０１０３】
なお、運転をオンとする場合には、２８℃より若干下回っているだけのときは弱運転とし、大きく下回っているときは強運転とする。
【０１０４】
ここで、２３時から翌６時までの床下空調では、他の快適性優先モードによる運転よりも下限温度を３℃高くしているのは、安価な深夜電力を用いて、床下空間３が蓄熱槽の役目を果たす余熱効果も狙っているためである。
【０１０５】
これにより、２３時から翌６時までは、床上空調も、記憶部５５に記憶された運転タイムスケジュールデータに基づいて下限温度を１７℃とする制御がなされるが、特に後半部分では殆どの場合、運転をオフの状態にすることができる。
【０１０６】
なお、この具体例は、床上空間６を居間や寝室などに用いる場合のものであり、人が居ないと想定されるときも、主に急に居住者等の人が戻ってきたときなどにヒートショックを起こすのを予防するのを目的として、床上空間６内の下限温度を１７℃としている。
【０１０７】
次に、実施例の作用効果について説明する。
【０１０８】
このような実施例の空調システムの制御装置Ｓは、建物１の内部が床部１ａで床上空間６と床下空間３とに仕切られ、建物１に設置された空調装置としてのエアコンディショナーの屋内機５の床上用吹出部５２，５２から床上空間６への空調空気を吹き出す床上空調と、このエアコンディショナーの屋内機５の床下用吹出部５３から床下空間３へ空調空気を吹き出す床下空調とが可能な空調システムの制御装置である。
【０１０９】
そして、制御部５４は、床上空間６内に設けた人感センサー１２で人が在であるか不在であるかを検知した結果により、床上空調の運転条件を制御する構成とされている。
【０１１０】
上記した構成なので、床上空調では、床上空間６内の人の在・不在を区別して、無駄のない運転が行われるため、床下空調及び床上空調が可能な空調システムを、自動で効率的に制御することができる。
【０１１１】
ここで、人感センサー１２による検知結果で、人が不在である状況が所定時間以上継続した場合に、床上空調の運転条件を経済性優先モードとする。
【０１１２】
このため、床上空間６内に人が長い間居ない状態なのに無駄な空調を行うことを極力少なくすることができる。
【０１１３】
また、人感センサー１２による検知結果で、人が在である状況が所定時間以上継続した場合に、床上空調の運転条件を快適性優先モードとする。
【０１１４】
このため、床上空間６内に人が居る状態では極力快適な空調を行うことができる。
【０１１５】
さらに、制御部５４により、床下空調は、記憶部５５に記憶された運転タイムスケジュールデータに基づいて、運転条件を制御する。
【０１１６】
このため、特に、暖房運転をする際には、床下空調による暖房は、床上空間６が略均一にムラなく暖まるが、床上空調による暖房に比べれば即効性に欠き、床上空調による暖房は、床上空間６が即座に暖まるが、床下空調による暖房に比べれば床上空間６を均一に暖めることができないので、床下空調による暖房と床上空調による暖房との長所を活かし、短所を補い合う効率的な制御を行うことができる。
【０１１７】
また、制御部５４により、深夜時間帯において、床上空調も、記憶部５５に記憶された運転タイムスケジュールデータに基づいて、運転条件を制御する。
【０１１８】
このため、特に電気料金が安価な深夜時間帯にこの制御を行うので、経済的であり、そのうえ、睡眠中及びその前後の快適性を増すことができ、特に暖房運転の際には、室間の温度差によるヒートショックの予防にもなる。
【０１１９】
さらに、制御部５４による床上空調及び床下空調の制御は、標準仕様設定による制御であり、コントローラとしてのリモートコントローラ１３による標準仕様設定のオン・オフ、調整、又は変更が可能である。
【０１２０】
このため、建物１の居住者等の意思を、標準仕様設定による制御に容易に割り込ませることができる。
【０１２１】
また、建物１の床上空間６内及び床下空間３内には、制御部５４にこれら空間６，３内の温度データを送る温度センサー１３ａ，５ａがそれぞれ設けられており、これらの温度データに基づいて、制御部５４により、床上空調及び床下空調の制御がなされる。
【０１２２】
このため、温度データを基準とした制御となるので、簡易な構成で、効率的な制御を行うことができる。
【０１２３】
さらに、記憶部５５は学習機能を有する。
【０１２４】
このため、標準仕様設定による制御に、居住者等の好みや行動パターン等による時系列的に好適な温度環境を反映させることができる。
【０１２５】
このような実施例の空調システムは、上記した実施例の空調システムの制御装置Ｓを備えた構成とされている。
【０１２６】
上記した構成なので、上記した実施例の空調システムの制御装置Ｓの作用効果を奏する空調システムとすることができる。
【０１２７】
ここで、空調装置としてのエアコンディショナーの屋内機５は、床下空間３に設置されている。
【０１２８】
このため、年を通して安定した温度環境であり、通常はデッドスペースである床下空間３を有効利用することができる。
【０１２９】
このような実施例の建物１は、上記した実施例の空調システムを備えた構成とされている。
【０１３０】
上記した構成なので、上記した実施例の空調システムの作用効果を奏する建物とすることができる。
【０１３１】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【０１３２】
例えば、上記した実施例では、建物１を、説明が簡単なように、単純な構造としたが、勿論、これに限定されず、より複雑な構造として実施してもよい。
【０１３３】
また、上記した実施例では、給気口１０を２つ設けて実施したが、これに限定されず、床上空間６の広さに合わせた数の給気口１０を設けて実施すればよい。
【０１３４】
さらに、上記した実施例では、主に、暖房運転の際のみについて記載したが、これに限定されず、本発明は、冷房運転の際にも適用できるものである。
【０１３５】
例えば、床下空間３内が結露対策をしているのなら、暖房運転の際と略同様にして実施してもよいし、結露対策がなされていないなら、床下空調は、除湿空気を吹き出すものとし、夏場等の暑いときの体感温度を下げるようにすればよい。
【０１３６】
この場合は、温度センサー１３ａ，５ａに、湿度検出機能も持たせるとよい。
【０１３７】
さらに、この冷房時では、経済性優先モードの上限温度は、２８〜３１℃であり、快適性優先モードの上限温度は、２５〜２８℃であるとよい。
【符号の説明】
【０１３８】
１      建物
１ａ    床部
１ｂ    基礎底盤コンクリート
１ｃ    基礎側壁コンクリート
１ｄ    外壁部
１ｅ    天井部
２      断熱材
３      床下空間
４      エアコンディショナーの屋外機
５      エアコンディショナーの屋内機（空調装置）
５１    吸込部
５２    床上用吹出部
５２ａ  開閉弁
５３    床下用吹出部
５３ａ  開閉弁
５４    制御部
５５    記憶部
５ａ    温度センサー
６      床上空間
７      ドレイン
８１    ダクト
８２    ダクト
９      排気口
１０    給気口
１１    別の給気口
１２    人感センサー
１３    リモートコントローラ（コントローラ）
１３ａ  温度センサー
Ｓ      制御装置
【要約】      （修正有）【課題】床下空調及び床上空調が可能な空調システムを、自動で効率的に制御することができる、空調システムの制御装置を提供する。【解決手段】建物の内部が床部で床上空間と床下空間とに仕切られ、建物に設置された空調装置としてのエアコンディショナーの屋内機の床上用吹出部から床上空間への空調空気を吹き出す床上空調と、このエアコンディショナーの屋内機の床下用吹出部から床下空間へ空調空気を吹き出す床下空調とが可能な空調システムの制御装置Ｓであって、制御部５４は、床上空間内に設けた人感センサー１２で人が在であるか不在であるかを検知した結果により、床上空調の運転条件を制御する構成とされている。【選択図】図２【図１】
0005552190.tif 000002
【図２】
0005552190.tif 000003
【図３】
0005552190.tif 000004